【事件の表示】
　特許第３２５７９９４号に関する訂正審判事件について、次のとおり審決する。
【結　論】
　特許第３２５７９９４号に係る明細書を本件審判請求書に添付された訂正明細書のとおり訂正することを認める。
【理　由】
１．手続の経緯
　本件特許第３２５７９９４号の請求項１ないし１３に係る発明についての出願は、平成１１年８月３０日に特許出願され、平成１３年１２月７日にその特許権の設定登録がされ、その後、特許異議の申立て（異議２００２−７１９８５号）がされ、取消理由が通知され、その指定期間内である平成１６年１月１９日に訂正請求がなされ、平成１６年３月２６日付け（送達日平成１６年４月１９日）で「訂正を認める。特許第３２５７９９４号の請求項１ないし１０に係る特許を取り消す。」との取消決定がなされた。
　本件請求人は、これを不服として東京高等裁判所に当該取消決定の取消を求める訴え（平成１６年（行ケ）第２２４号）を平成１６年５月１８日に提起し、現在同裁判所にて係属中であるところ、訴えの提起があった日から９０日の期間内である平成１６年８月１６日に本件審判を請求したものである。
　
２．請求の要旨
　本件審判の請求の要旨は、特許第３２５７９９４号発明の明細書を審判請求書に添付した訂正明細書のとおり、すなわち、下記（１）ないし（２３）のとおり訂正することを求めるものである。
（１）訂正事項ａ
　特許明細書の特許請求の範囲の請求項１の
「【請求項１】部品本体の一面に接続端子を所定のパターンで配列してなる電子部品を着脱自在に装着可能なソケット本体と、上記ソケット本体に上記電子部品の接続端子の配列パターンに対応して配設され、上記電子部品の各接続端子を挟んだ状態で加圧接触する一対の弾性的に開閉可能なアーム状接点部を有する複数の接触子と、上記接触子の一対のアーム状接点部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ開閉させるように構成された接点部開閉部材とを備え、上記係合部が第１の位置にあるとき上記一対のアーム状接点部は閉状態にある一方で、上記係合部が第２の位置にあるとき上記一対のアーム状接点部は開状態にあり、上記開状態にある一対のアーム状接点部の弾性力によって上記電子部品の各接続端子を挟んで加圧接触するように構成されていることを特徴とするソケット。」を、
「【請求項１】部品本体の一面に接続端子を所定のパターンで配列してなる電子部品を着脱自在に装着可能なソケット本体と、上記ソケット本体に固定され、上記ソケットへの電子部品の装着に際し、当該電子部品を案内するとともに上記電子部品を位置決めして載置するためのアダプタ部材と、上記ソケット本体に上記電子部品の接続端子の配列パターンに対応して配設され、上記電子部品の各接続端子を挟んだ状態で加圧接触する一対の弾性的に開閉可能なアーム状接点部を有し、当該各アーム状接点部の先端近傍の部位を互いに近づける方向に「く」の字状に折り曲げることによりくびれた形状の係合突部が設けられている複数の接触子と、上記接触子の一対のアーム状接点部の係合突部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ対称的に開閉させるように構成された接点部開閉部材と、上記一対のアーム状接点部に対して接近又は離間するように構成され、挿入される当該電子部品を所定位置に押さえるためのラッチ部材と、上記ソケット本体に対して上下動可能に設けられ、その押圧による下方への移動により上記接点部開閉部材を上方へ移動させ、かつ、その押圧解除による上方への移動により上記接点部開閉部材を下方へ移動させるカバー部材とを備え、上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。」と訂正する。
（２）訂正事項ｂ
　特許明細書の特許請求の範囲の請求項２の
「【請求項２】部品本体の一面に接続端子を所定のパターンで配列してなる電子部品を着脱自在に装着可能なソケット本体と、上記ソケット本体に上記電子部品の接続端子の配列パターンに対応して配設され、上記電子部品の各接続端子を挟んだ状態で加圧接触する一対の弾性的に開閉可能なアーム状接点部を有する複数の接触子と、上記接触子の一対のアーム状接点部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ開閉させるように構成された接点部開閉部材とを備え、上記一対のアーム状接点部は、上記接触子の長手方向に対してほぼ線対称な形状に形成され、上記係合部が第１の位置にあるとき上記一対のアーム状接点部は閉状態にある一方で、上記係合部が第２の位置にあるとき上記一対のアーム状接点部は開状態にあり、上記開状態にある一対のアーム状接点部の弾性力によって上記電子部品の各接続端子を挟んで加圧接触するように構成されていることを特徴とするソケット。」を、
「【請求項２】部品本体の一面に接続端子を所定のパターンで配列してなる電子部品を着脱自在に装着可能なソケット本体と、上記ソケット本体に固定され、上記ソケットへの電子部品の装着に際し、当該電子部品を案内するとともに上記電子部品を位置決めして載置するためのアダプタ部材と、上記ソケット本体に上記電子部品の接続端子の配列パターンに対応して配設され、上記電子部品の各接続端子を挟んだ状態で加圧接触する一対の弾性的に開閉可能なアーム状接点部を有し、当該各アーム状接点部の先端近傍の部位を互いに近づける方向に「く」の字状に折り曲げることによりくびれた形状の係合突部が設けられている複数の接触子と、上記接触子の一対のアーム状接点部の係合突部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ対称的に開閉させるように構成された接点部開閉部材と、上記一対のアーム状接点部に対して接近又は離間するように構成され、挿入される当該電子部品を所定位置に押さえるためのラッチ部材と、上記ソケット本体に対して上下動可能に設けられ、その押圧による下方への移動により上記接点部開閉部材を上方へ移動させ、かつ、その押圧解除による上方への移動により上記接点部開閉部材を下方へ移動させるカバー部材とを備え、上記一対のアーム状接点部は、上記接触子の長手方向に対してほぼ線対称な形状に形成され、上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。」と訂正する。
（３）訂正事項ｃ
　特許明細書の特許請求の範囲の請求項３の
「【請求項３】上記接点部開閉部材は、上記接触子の一対のアーム状接点部とそれぞれ係合する係合部によって隔離された一対の貫通孔を有し、該一対の貫通孔にそれぞれ一対のアーム状接点部が配され、該係合部の上記アーム状接点部の開閉方向とほぼ直交する方向への移動によって上記アーム状接点部をそれぞれ開閉させるように構成されていることを特徴とする請求項１又は２のいずれか１項記載のソケット。」を、
「【請求項３】上記接点部開閉部材は、上記接触子の一対のアーム状接点部とそれぞれ係合する係合部によって隔離された一対の貫通孔を有し、該一対の貫通孔にそれぞれ一対のアーム状接点部が配され、該係合部の上記アーム状接点部の開閉方向とほぼ直交する方向への移動によって上記一対のアーム状接点部をそれぞれ対称的に開閉させるように構成されていることを特徴とする請求項１又は２のいずれか１項記載のソケット。」と訂正する。
（４）訂正事項ｄ
　特許請求の範囲の請求項５の
「【請求項５】請求項１乃至４のいずれか１項記載のソケットに電子部品を取り付けてテストを行う方法であって、電子部品を用意し、上記接点部開閉部材の一部を駆動して上記係合部を第１の位置へ移動することにより上記一対のアーム状接点部を開かせ、上記電子部品の接続端子がそれぞれに対応する一対のアーム状接点部の間に配置されるように上記電子部品をソケット本体に取り付け、上記接点部開閉部材を駆動して上記係合部を第２の位置へ移動させることにより上記各一対のアーム状接点部によって上記電子部品の各接続端子を加圧接触させることを特徴とする電子部品のテスト方法。」を、
「【請求項５】請求項１乃至４のいずれか１項記載のソケットに電子部品を取り付けてテストを行う方法であって、電子部品を用意し、上記カバー部材を上記ソケット本体に対して押し下げる向きに駆動して上記係合部を上記一対のアーム状接点部の係合突部に対して下方で離間した第１の位置から上記一対のアーム状接点部の係合突部と当接する第２の位置へ上方へ移動させることにより上記一対のアーム状接点部を対称的に開かせるとともに、上記ラッチ部材を上記一対のアーム状接点部の近傍から退避させて、上記電子部品の接続端子がそれぞれに対応する一対のアーム状接点部の間に配置されるように上記電子部品を上記アダプタ部材に位置決め載置し、上記カバー部材の押圧を解除し、上記カバー部材を上記ソケット本体から離れる向きに上方へ駆動して上記係合部を上記一対のアーム状接点部の係合突部の下方の上記第１の位置へ移動させることにより、上記各一対のアーム状接点部によって上記電子部品の各接続端子を双方向から挟んで加圧接触させるとともに、上記ラッチ部材によって上記電子部品を所定位置に押さえることを特徴とする電子部品のテスト方法。」と訂正する。
（５）訂正事項ｅ
　特許明細書の特許請求の範囲の請求項６の
「【請求項６】少なくとも一面に複数の接続端子を備えた電子部品を装着するためのソケットであって、上下動可能なカバー部材と、上記カバ
ー部材の移動に応じて上下動可能なスライド部材と、先端部に開閉可能な一対のアーム状接点部を有する複数の接触子と、上記カバー部材及び上記スライド部材を取り付け、かつ、上記複数の接触子を保持する本体とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部を開閉するように構成され、上記係合部が第１の位置にあるとき上記一対のアーム状接点部は閉状態にある一方で、上記係合部が第２の位置にあるとき上記一対のアーム状接点部は開状態にあり、上記開状態にある一対のアーム状接点部の弾性力によって上記電子部品の各接続端子を挟んで加圧接触するように構成されていることを特徴とするソケット。」を、
「【請求項６】少なくとも一面に複数の接続端子を備えた電子部品を装着するためのソケットであって、上下動可能なカバー部材と、上記カバー部材の押圧による下方への移動により上方へ移動し、かつ、上記カバー部材の押圧解除による上方への移動により下方へ移動可能なスライド部材と、先端部に開閉可能な一対のアーム状接点部を有し、当該各アーム状接点部の先端近傍の部位を互いに近づける方向に「く」の字状に折り曲げることによりくびれた形状の係合突部が設けられている複数の接触子と、上記一対のアーム状接点部に対して接近又は離間するように構成され、挿入される当該電子部品を所定位置に押さえるためのラッチ部材と、上記カバー部材及び上記スライド部材を取り付け、かつ、上記複数の接触子を保持する本体と、上記本体に固定され、上記本体への電子部品の装着に際し、当該電子部品を案内するとともに上記電子部品を位置決めして載置するためのアダプタ部材とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部の係合突部と係合して開閉するように構成され、上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する下方の第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。」と訂正する。
（６）訂正事項ｆ
　特許明細書の特許請求の範囲の請求項７及び８の
「【請求項７】上記電子部品を位置決めするためのアダプタ部材が上記本体に固定されていることを特徴とする請求項６記載のソケット。
【請求項８】上記各一対のアーム状接点部は、上記電子部品の接続端子をそれぞれ双方向から挟むように構成されていることを特徴とする請求項６又は７のいずれか１項記載のソケット。」
を削除する。
（７）訂正事項ｇ
　特許明細書の特許請求の範囲の請求項９の
「【請求項９】上記カバー部材を押し下げた場合に上記各一対のアーム状接点部の加圧接触部がその中心部からほぼ均等な距離だけ移動するように構成されていることを特徴とする請求項６乃至８のいずれか１項記載のソケット。」を、
「【請求項７】上記カバー部材を押し下げた場合に上記各一対のアーム状接点部の加圧接触部がその中心部からほぼ均等な距離だけ移動するように構成されていることを特徴とする請求項６記載のソケット。」と訂正する。
（８）訂正事項ｈ
　特許明細書の特許請求の範囲の請求項１０の
「【請求項１０】上記電子部品は、ＢＧＡパッケージであることを特徴とする請求項６乃至９のいずれか１項記載のソケット。」を、
「【請求項８】上記電子部品は、ＢＧＡパッケージであることを特徴とする請求項６又は７のいずれか１項記載のソケット。」と訂正する。
（９）訂正事項ｉ
　特許明細書の特許請求の範囲の請求項１１の
「【請求項１１】少なくとも一面に複数の接続端子を備えた電子部品を装着するためのソケットであって、上下動可能なカバー部材と、上記カバー部材の移動に応じて上下動可能なスライド部材と、上記カバー部材の移動に応じて上記スライド部材を上下動可能なレバー部材と、先端部に開閉可能な一対のアーム状接点部を有する複数の接触子と、挿入される当該電子部品を所定位置に押さえるためのラッチ部材と、上記カバー部材、上記スライド部材、上記レバー部材及び上記ラッチ部材を取り付け、かつ、上記複数の接触子を保持する本体とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部を開閉するように構成され、上記係合部が第１の位置にあるとき上記一対のアーム状接点部は閉状態にある一方で、上記係合部が第２の位置にあるとき上記一対のアーム状接点部は開状態にあり、上記開状態にある一対のアーム状接点部の弾性力によって上記電子部品の各接続端子を挟んで加圧接触するように構成されていることを特徴とするソケット。」を、
「【請求項９】少なくとも一面に複数の接続端子を備えた電子部品を装着するためのソケットであって、上下動可能なカバー部材と、上記カバー部材の押圧による下方への移動により上方へ移動し、かつ、上記カバー部材の押圧解除による上方への移動により下方へ移動可能なスライド部材と、上記カバー部材の移動に応じて上記スライド部材を上下動可能なレバー部材と、先端部に開閉可能な一対のアーム状接点部を有し、当該各アーム状接点部の先端近傍の部位を互いに近づける方向に「く」の字状に折り曲げることによりくびれた形状の係合突部が設けられている複数の接触子と、上記一対のアーム状接点部に対して接近又は離間するように構成され、挿入される当該電子部品を所定位置に押さえるためのラッチ部材と、上記カバー部材、上記スライド部材、上記レバー部材及び上記ラッチ部材を取り付け、かつ、上記複数の接触子を保持する本体と、上記本体に固定され、上記本体への電子部品の装着に際し、当該電子部品を案内するとともに上記電子部品を位置決めして載置するためのアダプタ部材とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部の係合突部と係合して開閉するように構成され、上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する下方の第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。」と訂正する。
（１０）訂正事項ｊ
　特許明細書の特許請求の範囲の請求項１２の
「【請求項１２】上記レバー部材は、上記本体に回動可能に取り付けられ、該レバー部材の力点部が上記カバー部材に当接する一方で、該レバー部材の作動部が上記スライド部材の下方においてその下面部に当接可能に構成されていることを特徴とする請求項１１記載のソケット。」を、
「【請求項１０】上記レバー部材は、上記本体に回動可能に取り付けられ、該レバー部材の力点部が上記カバー部材に当接する一方で、該レバー部材の作動部が上記スライド部材の下方においてその下面部に当接可能に構成されていることを特徴とする請求項９記載のソケット。」と訂正する。
（１１）訂正事項ｋ
　特許明細書の特許請求の範囲の請求項１３の
「【請求項１３】上記電子部品を位置決めするためのアダプタ部材が上記本体に固定されていることを特徴とする請求項１１又は１２のいずれか１項記載のソケット。」
を削除する。
（１２）訂正事項ｌ
　特許明細書の発明の詳細な説明の段落【００２０】の
「【課題を解決するための手段】上記目的を達成するためになされた請求項１記載の発明は、・・・するように構成されていることを特徴とするソケットである。」を、
「【課題を解決するための手段】上記目的を達成するためになされた請求項１記載の発明は、部品本体の一面に接続端子を所定のパターンで配列してなる電子部品を着脱自在に装着可能なソケット本体と、上記ソケット本体に固定され、上記ソケットへの電子部品の装着に際し、当該電子部品を案内するとともに上記電子部品を位置決めして載置するためのアダプタ部材と、上記ソケット本体に上記電子部品の接続端子の配列パターンに対応して配設され、上記電子部品の各接続端子を挟んだ状態で加圧接触する一対の弾性的に開閉可能なアーム状接点部を有し、当該各アーム状接点部の先端近傍の部位を互いに近づける方向に「く」の字状に折り曲げることによりくびれた形状の係合突部が設けられている複数の接触子と、上記接触子の一対のアーム状接点部の係合突部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ対称的に開閉させるように構成された接点部開閉部材と、上記一対のアーム状接点部に対して接近又は離間するように構成され、挿入される当該電子部品を所定位置に押さえるためのラッチ部材と、上記ソケット本体に対して上下動可能に設けられ、その押圧による下方への移動により上記接点部開閉部材を上方へ移動させ、かつ、その押圧解除による上方への移動により上記接点部開閉部材を下方へ移動させるカバー部材とを備え、上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケットである。」と訂正する。
（１３）訂正事項ｍ
　特許明細書の発明の詳細な説明の段落【００２１】の
「また、請求項２記載の発明は、・・・するように構成されていることを特徴とするソケットである。」を、
「また、請求項２記載の発明は、部品本体の一面に接続端子を所定のパターンで配列してなる電子部品を着脱自在に装着可能なソケット本体と、上記ソケット本体に固定され、上記ソケットへの電子部品の装着に際し、当該電子部品を案内するとともに上記電子部品を位置決めして載置するためのアダプタ部材と、上記ソケット本体に上記電子部品の接続端子の配列パターンに対応して配設され、上記電子部品の各接続端子を挟んだ状態で加圧接触する一対の弾性的に開閉可能なアーム状接点部を有し、当該各アーム状接点部の先端近傍の部位を互いに近づける方向に「く」の字状に折り曲げることによりくびれた形状の係合突部が設けられている複数の接触子と、上記接触子の一対のアーム状接点部の係合突部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ対称的に開閉させるように構成された接点部開閉部材と、上記一対のアーム状接点部に対して接近又は離間するように構成され、挿入される当該電子部品を所定位置に押さえるためのラッチ部材と、上記ソケット本体に対して上下動可能に設けられ、その押圧による下方への移動により上記接点部開閉部材を上方へ移動させ、かつ、その押圧解除による上方への移動により上記接点部開閉部材を下方へ移動させるカバー部材とを備え、上記一対のアーム状接点部は、上記接触子の長手方向に対してほぼ線対称な形状に形成され、上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケットである。」と訂正する。
（１４）訂正事項ｎ
　特許明細書の発明の詳細な説明の段落【００２６】の
「本発明においては、例えば、請求項３記載の発明のように、請求項１又は２のいずれか１項記載の発明において、・・・上記アーム状接点部をそれぞれ開閉させるように構成されていることも効果的である。」を、
「本発明においては、例えば、請求項３記載の発明のように、請求項１又は２のいずれか１項記載の発明において、・・・上記一対のアーム状接点部をそれぞれ対称的に開閉させるように構成されていることも効果的である。」と訂正する。
（１５）訂正事項ｏ
　特許明細書の発明の詳細な説明の段落【００２８】の
「一方、請求項５記載の発明は、・・・させることを特徴とする電子部品のテスト方法である。」を、
「一方、請求項５記載の発明は、請求項１乃至４のいずれか１項記載のソケットに電子部品を取り付けてテストを行う方法であって、電子部品を用意し、上記カバー部材を上記ソケット本体に対して押し下げる向きに駆動して上記係合部を上記一対のアーム状接点部の係合突部に対して下方で離間した第１の位置から上記一対のアーム状接点部の係合突部と当接する第２の位置へ上方へ移動させることにより上記一対のアーム状接点部を対称的に開かせるとともに、上記ラッチ部材を上記一対のアーム状接点部の近傍から退避させて、上記電子部品の接続端子がそれぞれに対応する一対のアーム状接点部の間に配置されるように上記電子部品を上記アダプタ部材に位置決め載置し、上記カバー部材の押圧を解除し、上記カバー部材を上記ソケット本体から離れる向きに上方へ駆動して上記係合部を上記一対のアーム状接点部の係合突部の下方の上記第１の位置へ移動させることにより、上記各一対のアーム状接点部によって上記電子部品の各接続端子を双方向から挟んで加圧接触させるとともに、上記ラッチ部材によって上記電子部品を所定位置に押さえることを特徴とする電子部品のテスト方法である。」と訂正する。
（１６）訂正事項ｐ
　特許明細書の発明の詳細な説明の段落【００２９】の
「一方、請求項６記載の発明は、・・・するように構成されていることを特徴とするソケットである。」を、
「一方、請求項６記載の発明は、少なくとも一面に複数の接続端子を備えた電子部品を装着するためのソケットであって、上下動可能なカバー部材と、上記カバー部材の押圧による下方への移動により上方へ移動し、かつ、上記カバー部材の押圧解除による上方への移動により下方へ移動可能なスライド部材と、先端部に開閉可能な一対のアーム状接点部を有し、当該各アーム状接点部の先端近傍の部位を互いに近づける方向に「く」の字状に折り曲げることによりくびれた形状の係合突部が設けられている複数の接触子と、上記一対のアーム状接点部に対して接近又は離間するように構成され、挿入される当該電子部品を所定位置に押さえるためのラッチ部材と、上記カバー部材及び上記スライド部材を取り付け、かつ、上記複数の接触子を保持する本体と、上記本体に固定され、上記本体への電子部品の装着に際し、当該電子部品を案内するとともに上記電子部品を位置決めして載置するためのアダプタ部材とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部の係合突部と係合して開閉するように構成され、上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する下方の第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケットである。」と訂正する。
（１７）訂正事項ｑ
　特許明細書の発明の詳細な説明の段落【００３０】【００３１】の記載内容を削除する。
（１８）訂正事項ｒ
　特許明細書の発明の詳細な説明の段落【００３２】の
「さらに、請求項９記載の発明のように、請求項６乃至８のいずれかに記載の発明において」を、
「さらに、請求項７記載の発明のように、請求項６記載の発明において」と訂正する。
（１９）訂正事項ｓ
　特許明細書の発明の詳細な説明の段落【００３３】の
「請求項１０記載の発明のように、請求項６乃至８のいずれかに記載の発明において」を、
「請求項８記載の発明のように、請求項６又は７のいずれかに記載の発明において」と訂正する。
（２０）訂正事項ｔ
　特許明細書の発明の詳細な説明の段落【００３４】の
「一方、請求項１１記載の発明は、・・・するように構成されていることを特徴とするソケットである。」を、
「一方、請求項９記載の発明は、少なくとも一面に複数の接続端子を備えた電子部品を装着するためのソケットであって、上下動可能なカバー部材と、上記カバー部材の押圧による下方への移動により上方へ移動し、かつ、上記カバー部材の押圧解除による上方への移動により下方へ移動可能なスライド部材と、上記カバー部材の移動に応じて上記スライド部材を上下動可能なレバー部材と、先端部に開閉可能な一対のアーム状接点部を有し、当該各アーム状接点部の先端近傍の部位を互いに近づける方向に「く」の字状に折り曲げることによりくびれた形状の係合突部が設けられている複数の接触子と、上記一対のアーム状接点部に対して接近又は離間するように構成され、挿入される当該電子部品を所定位置に押さえるためのラッチ部材と、上記カバー部材、上記スライド部材、上記レバー部材及び上記ラッチ部材を取り付け、かつ、上記複数の接触子を保持する本体と、上記本体に固定され、上記本体への電子部品の装着に際し、当該電子部品を案内するとともに上記電子部品を位置決めして載置するためのアダプタ部材とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部の係合突部と係合して開閉するように構成され、上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する下方の第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケットである。」と訂正する。
（２１）訂正事項ｕ
　特許明細書の発明の詳細な説明の段落【００３５】の
「この場合、請求項１２記載の発明のように、請求項１１記載の発明において」を、
「この場合、請求項１０記載の発明のように、請求項９記載の発明において」と訂正する。
（２２）訂正事項ｖ
　特許明細書の発明の詳細な説明の段落【００３６】の記載内容を削除する。
（２３）訂正事項ｗ
　発明の詳細な説明の段落【００３７】の
「請求項６乃至１３記載の発明にあっては」を、
「請求項６乃至１０記載の発明にあっては」と訂正する。
　
３．当審の判断
（１）特許法第１２６条第１項ただし書き、第３項及び第４項の要件（訂正の目的の適否、新規事項の有無及び拡張・変更の存否）について
　上記訂正事項ａ〜ｅは、願書に添付した明細書又は図面に記載した事項の範囲内おいて限定事項を追加するものであるから、特許請求の範囲の減縮を目的とするものであり、新規事項の追加でもなく、実質上特許請求の範囲を拡張し変更するものでもない。
　上記訂正事項ｆは、請求項の削除であるから、特許請求の範囲の減縮を目的とするものであり、新規事項の追加でもなく、実質上特許請求の範囲を拡張し変更するものでもない。
　上記訂正事項ｇ〜ｊは、願書に添付した明細書又は図面に記載した事項の範囲内おいて限定事項を追加し、さらに、訂正事項ｆによる請求項の削除に伴い請求項の番号を繰り上げるものであるから、特許請求の範囲の減縮を目的とするものであり、新規事項の追加でもなく、実質上特許請求の範囲を拡張し変更するものでもない。
　上記訂正事項ｋは、請求項の削除であるから、特許請求の範囲の減縮を目的とするものであり、新規事項の追加でもなく、実質上特許請求の範囲を拡張し変更するものでもない。
　また、上記訂正事項ｌ〜ｗについては、上記訂正事項ａ〜ｋにより特許請求の範囲を訂正したことに伴い発明の詳細な説明の記載の整合を図るものであるから、明りょうでない記載の釈明を目的とするものであり、新規事項の追加でもなく、実質上特許請求の範囲を拡張し変更するものでもない。
 　したがって、本件訂正は、特許法第１２６条第１項ただし書き、第３項及び第４項の要件を満たすものである。
　
（２）特許法第１２６条第５項の要件（独立特許要件）について
　次に、訂正後における特許請求の範囲の請求項１ないし１０に記載されている事項により特定される発明が特許出願の際独立して特許を受けることができるか検討する。
　
（２−１）訂正明細書の請求項１ないし１０に係る発明
　本件審判請求書に添付した訂正明細書の請求項１ないし１０に係る発明（以下、「訂正発明１ないし１０」という）は、その訂正明細書の特許請求の範囲の請求項１ないし１０に記載された事項により特定される次のとおりのものである。
「【請求項１】部品本体の一面に接続端子を所定のパターンで配列してなる電子部品を着脱自在に装着可能なソケット本体と、上記ソケット本体に固定され、上記ソケットへの電子部品の装着に際し、当該電子部品を案内するとともに上記電子部品を位置決めして載置するためのアダプタ部材と、上記ソケット本体に上記電子部品の接続端子の配列パターンに対応して配設され、上記電子部品の各接続端子を挟んだ状態で加圧接触する一対の弾性的に開閉可能なアーム状接点部を有し、当該各アーム状接点部の先端近傍の部位を互いに近づける方向に「く」の字状に折り曲げることによりくびれた形状の係合突部が設けられている複数の接触子と、上記接触子の一対のアーム状接点部の係合突部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ対称的に開閉させるように構成された接点部開閉部材と、上記一対のアーム状接点部に対して接近又は離間するように構成され、挿入される当該電子部品を所定位置に押さえるためのラッチ部材と、上記ソケット本体に対して上下動可能に設けられ、その押圧による下方への移動により上記接点部開閉部材を上方へ移動させ、かつ、その押圧解除による上方への移動により上記接点部開閉部材を下方へ移動させるカバー部材とを備え、上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。
【請求項２】部品本体の一面に接続端子を所定のパターンで配列してなる電子部品を着脱自在に装着可能なソケット本体と、上記ソケット本体に固定され、上記ソケットへの電子部品の装着に際し、当該電子部品を案内するとともに上記電子部品を位置決めして載置するためのアダプタ部材と、上記ソケット本体に上記電子部品の接続端子の配列パターンに対応して配設され、上記電子部品の各接続端子を挟んだ状態で加圧接触する一対の弾性的に開閉可能なアーム状接点部を有し、当該各アーム状接点部の先端近傍の部位を互いに近づける方向に「く」の字状に折り曲げることによりくびれた形状の係合突部が設けられている複数の接触子と、上記接触子の一対のアーム状接点部の係合突部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ対称的に開閉させるように構成された接点部開閉部材と、上記一対のアーム状接点部に対して接近又は離間するように構成され、挿入される当該電子部品を所定位置に押さえるためのラッチ部材と、上記ソケット本体に対して上下動可能に設けられ、その押圧による下方への移動により上記接点部開閉部材を上方へ移動させ、かつ、その押圧解除による上方への移動により上記接点部開閉部材を下方へ移動させるカバー部材とを備え、上記一対のアーム状接点部は、上記接触子の長手方向に対してほぼ線対称な形状に形成され、上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。
【請求項３】上記接点部開閉部材は、上記接触子の一対のアーム状接点部とそれぞれ係合する係合部によって隔離された一対の貫通孔を有し、該一対の貫通孔にそれぞれ一対のアーム状接点部が配され、該係合部の上記アーム状接点部の開閉方向とほぼ直交する方向への移動によって上記一対のアーム状接点部をそれぞれ対称的に開閉させるように構成されていることを特徴とする請求項１又は２のいずれか１項記載のソケット。
【請求項４】上記電子部品は、ＢＧＡパッケージであることを特徴とする請求項１乃至３のいずれか１項記載のソケット。
【請求項５】請求項１乃至４のいずれか１項記載のソケットに電子部品を取り付けてテストを行う方法であって、電子部品を用意し、上記カバー部材を上記ソケット本体に対して押し下げる向きに駆動して上記係合部を上記一対のアーム状接点部の係合突部に対して下方で離間した第１の位置から上記一対のアーム状接点部の係合突部と当接する第２の位置へ上方へ移動させることにより上記一対のアーム状接点部を対称的に開かせるとともに、上記ラッチ部材を上記一対のアーム状接点部の近傍から退避させて、上記電子部品の接続端子がそれぞれに対応する一対のアーム状接点部の間に配置されるように上記電子部品を上記アダプタ部材に位置決め載置し、上記カバー部材の押圧を解除し、上記カバー部材を上記ソケット本体から離れる向きに上方へ駆動して上記係合部を上記一対のアーム状接点部の係合突部の下方の上記第１の位置へ移動させることにより、上記各一対のアーム状接点部によって上記電子部品の各接続端子を双方向から挟んで加圧接触させるとともに、上記ラッチ部材によって上記電子部品を所定位置に押さえることを特徴とする電子部品のテスト方法。
【請求項６】少なくとも一面に複数の接続端子を備えた電子部品を装着するためのソケットであって、上下動可能なカバー部材と、上記カバー部材の押圧による下方への移動により上方へ移動し、かつ、上記カバー部材の押圧解除による上方への移動により下方へ移動可能なスライド部材と、先端部に開閉可能な一対のアーム状接点部を有し、当該各アーム状接点部の先端近傍の部位を互いに近づける方向に「く」の字状に折り曲げることによりくびれた形状の係合突部が設けられている複数の接触子と、上記一対のアーム状接点部に対して接近又は離間するように構成され、挿入される当該電子部品を所定位置に押さえるためのラッチ部材と、上記カバー部材及び上記スライド部材を取り付け、かつ、上記複数の接触子を保持する本体と、上記本体に固定され、上記本体への電子部品の装着に際し、当該電子部品を案内するとともに上記電子部品を位置決めして載置するためのアダプタ部材とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部の係合突部と係合して開閉するように構成され、上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する下方の第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。
【請求項７】上記カバー部材を押し下げた場合に上記各一対のアーム状接点部の加圧接触部がその中心部からほぼ均等な距離だけ移動するように構成されていることを特徴とする請求項６記載のソケット。
【請求項８】上記電子部品は、ＢＧＡパッケージであることを特徴とする請求項６又は７のいずれか１項記載のソケット。
【請求項９】少なくとも一面に複数の接続端子を備えた電子部品を装着するためのソケットであって、上下動可能なカバー部材と、上記カバー部材の押圧による下方への移動により上方へ移動し、かつ、上記カバー部材の押圧解除による上方への移動により下方へ移動可能なスライド部材と、上記カバー部材の移動に応じて上記スライド部材を上下動可能なレバー部材と、先端部に開閉可能な一対のアーム状接点部を有し、当該各アーム状接点部の先端近傍の部位を互いに近づける方向に「く」の字状に折り曲げることによりくびれた形状の係合突部が設けられている複数の接触子と、上記一対のアーム状接点部に対して接近又は離間するように構成され、挿入される当該電子部品を所定位置に押さえるためのラッチ部材と、上記カバー部材、上記スライド部材、上記レバー部材及び上記ラッチ部材を取り付け、かつ、上記複数の接触子を保持する本体と、上記本体に固定され、上記本体への電子部品の装着に際し、当該電子部品を案内するとともに上記電子部品を位置決めして載置するためのアダプタ部材とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部の係合突部と係合して開閉するように構成され、上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する下方の第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。
【請求項１０】上記レバー部材は、上記本体に回動可能に取り付けられ、該レバー部材の力点部が上記カバー部材に当接する一方で、該レバー部材の作動部が上記スライド部材の下方においてその下面部に当接可能に構成されていることを特徴とする請求項９記載のソケット。」
　
（２−２）刊行物に記載された発明
　本件特許に関し、特許異議の申立てにおいて通知された取消しの理由において以下の刊行物１〜７を引用している。 
　刊行物１：特開平１０−１７２７０２号公報
　刊行物２：特開平８−１３８８１２号公報
　刊行物３：特開平１１−２６１２６号公報（平成１１年１月２９日出願公開）
　刊行物４：特開平１０−３４０７７３号公報
　刊行物５：特開平９−２４５９２０号公報
　刊行物６：特開平８−６４３２０号公報
　刊行物７：特開平８−２７３７７８号公報
　
ア．刊行物１（特開平１０−１７２７０２号公報）には、以下の事項が図面とともに記載されている。
「本発明は、多数のリード端子を有する電気部品を着脱可能に装着して各リードと外部装置とを電気的に接続するためのソケットに関する。」（段落【０００１】）、
「一般に半導体製造工場では、ＩＣチップを樹脂によって封止したＩＣパッケージを、出荷前に電気的特性試験やバーンインと称される信頼性試験にかけ、良品と不良品とを判別するようにしている。」（段落【０００２】）、
「近年、新しい表面実装型のＩＣパッケージとして、パッケージの裏面に球形のリード端子（半田ボール）をマトリクス状又は千鳥状に配列してなるＢＧＡ（Ｂａｌｌ　Ｇｒｉｄ　Ａｒｒａｙ）パッケージが普及している。・・・図１１〜図１５は、かかるＢＧＡパッケージを装着するための従来のバーンインテスト用ソケットを示すものである。・・・スライダ１０４の両側部には、スライダ１０４をベース１０２の底面と平行に移動させるためのスライド機構が設けられる。すなわち、ベース１０２の一方の縁部において、略Ｌ字状のアーム１０７がシャフト１０８を中心として回動自在に設けられるとともに、このアーム１０８はスライダ１０４の一方の縁部に係合するシャフト１０９に回動自在に連結される。また、スライダ１０４の他方の縁部に、長尺のレバー１１０がシャフト１１１を中心として回動自在に取り付けられ、このレバー１１０の中腹部に、アーム１０７の先端部がピン１１２によって揺動自在に取り付けられる。そして、カバー１０３を押圧しない状態においてアーム１０７の先端部がカバー１０３の天井面に当接するように構成される。・・・このような構成を有するソケット１０１において、図１５（ａ）に示す状態から図１５（ｂ）に示すようにカバー１０３を押し下げると、レバー１１０がベース１０２に向って回動し、アーム１０７の動きに伴ってスライダ１０４が矢印Ｈ方向に移動する。その結果、コンタクト１０６のアーム１０６ａ、１０６ｂがスライダ１０４の格子部１０４ｃに押されて開くようになる。」（段落【０００４】〜【０００９】）、
「【発明の実施の形態】以下、本発明に係るソケットの好ましい実施の形態を図１〜図１０を参照して詳細に説明する。・・・図１は、本発明に係るソケットの要部構成を示す平面図であり、図２は、本発明が適用される電気部品としてのＢＧＡパッケージを示す裏面図である。また、図３（ａ）は、図１のＡ−Ａ線階段断面図であり、図３（ｂ）は、図１のソケットを矢印Ｘ方向から見た部分断面図である。・・・本実施の形態のソケット１は、概略、ソケット本体としてのベース２と、カバー３と、昇降部材４とから構成され、・・・また、カバー３は、後述する機構によりベース２に対して上下動自在に取り付けられ、そのほぼ中央部には、ＢＧＡパッケージ５を着脱するための開口部が形成されている。・・・図２に示すように、本発明が適用されるＢＧＡパッケージ５は、樹脂封入によって図示しないＩＣチップを内蔵する四角形状のパッケージ部５ａを有し、その裏面に、多数（本実施の形態の場合は９個）のリード端子としての球形状の半田ボール５ｂがマトリクス状に設けられている。・・・一方、ベース２のほぼ中央部には、接触子としてのコンタクト６が複数設けられる。これらのコンタクト６は、ＢＧＡパッケージ５に設けられた半田ボール５ｂの配列パターンに対応するようにマトリクス状に配列される。・・・図３（ａ）（ｂ）に示すように、コンタクト６は、例えば板ばね用薄板を打ち抜いて作成され、中心部から一本のピン６ｃとして軸方向に延び、中心部から上は２本のアーム状接点部としてのアーム６ａ、６ｂに分岐して軸方向に延びるように形成される。そして、各コンタクト６は、ベース２の底面２ａに対して垂直に保持される。・・・これら一対のアーム６ａ、６ｂは、向かい合う方向、即ち矢印Ｐ方向又は矢印Ｑ方向において弾性的に開閉可能であり、ＢＧＡパッケージ５の半田ボール５ｂを両側から挟んだ状態で加圧接触するための接点部を構成する。・・・この場合、一方のアーム６ｂはピン６ｃ側から接点部に向って直線状に延び、その先端部に向って順次矢印Ｐ方向、矢印Ｑ方向に折曲することにより接点部が形成される。また、他方のアーム６ａは、アーム６ａ、６ｂの分岐点においてアーム６ｂに対して矢印Ｐ方向に折曲され、その先端部に向って順次矢印Ｑ方向、矢印Ｐ方向に折曲することにより接点部が形成される。」（段落【００３４】〜【００４２】）、
「昇降部材４は、これらのガイド部２０〜２５に沿って、上下方向、即ちベース２の底面２ａに対して垂直方向に移動可能に構成される。昇降部材４は、一体的な部材からなり、図１に示すように、ガイド部２０〜２５によって案内される略四角形状のスライド部分４Ａと、このスライド部分４Ａの内側に形成されコンタクト６のアーム６ａ、６ｂを開閉させる接点開閉手段としてのアーム開閉部分４Ｂとから構成される。」（段落【００４５】）、
「一方、昇降部材４のアーム開閉部分４Ｂは、格子状に形成され、ＢＧＡパッケージ５の各半田ボール５ｂに対応するように、各コンタクト６を挿入するための貫通孔４ａが形成されている。この場合、図３（ａ）に示すように、アーム６ａ、６ｂの開閉方向における各貫通孔４ａの径は、アーム６ａ、６ｂ間の最大スパンよりも小さくなるように設定され、また、アーム開閉部としての各格子部４ｂの矢印Ｑ方向側の部分に曲面が形成されるように構成される。」（段落【００４９】）、
「次に、本実施の形態のソケット１の動作を図４〜図６を参照して説明する。・・・まず、図４（ａ）に示すように、カバー３を押圧しない状態においては、圧縮コイルばね３８の力によってカバー３が最も上方に位置する。この状態では、各コンタクト６のアーム６ａ、６ｂは閉じている。・・・この状態からカバー３を下方に押し下げていくと、スライダ３ｂのラック部３ｃと噛み合う歯車３４、３５が、それぞれ反時計回り方向又は時計回り方向に回転し、その小歯車部３４ｂ、３５ｂと各ラック部２６ａ、２７ａ、２８ａ、２９ａとが噛み合うことによって昇降部材４が上昇する。そして、そのままカバー３を押し下げていくと、昇降部材４のアーム開閉部４Ｂの各格子部４ｂがコンタクト６の各アーム６ａと当接し、これを矢印Ｑ方向に押圧するため、コンタクト６の両アーム６ａ、６ｂが開いていく。・・・図４（ｂ）は、カバー３を下限まで押し下げた状態を示すものである。この状態においては、昇降部材４はカバー３の上面まで上昇する。一方、各アーム６ａ、６ｂは、ＢＧＡパッケージ５の半田ボール５ｂが容易に入り込むように大きく開く。・・・そして、この状態において、半田ボール５ｂが設けられている面を下にしてＢＧＡパッケージ５を昇降部材４の上方から落とし込む。・・・次に、カバー３に対する押圧力を解除すると、圧縮コイルばね３８の付勢力によってカバー３が上昇し、スライダ３ｂのラック部３ｃと噛み合う歯車３４、３５が反時計回り方向に回転して、その小歯車３４ｂ、３５ｂと噛み合う昇降部材４が下降する。・・・ＢＧＡパッケージ５は、この載置面・・・からベース２のガイド部２０、２１の装着面２０ａ、２１ａ上に載り換えられる。・・・この場合・・・ベース２のガイド部２０、２１に位置決め面２０ｂ、２１ｂを傾斜させて形成しておくことにより、ＢＧＡパッケージ５が、この位置決め面面２０ｂ、２１ｂに沿って正確に位置決めされるため、各半田ボール５ｂは各コンタクト６のアーム６ａ、６ｂの間に確実に挿入される。その後、昇降部材４はなおも下降するが、ＢＧＡパッケージ５はベース２のガイド部２０、２１の装着面２０ａ、２１ａ上にそのままとどまる。・・・図５（ｄ）に示すように、昇降部材４がさらに下降すると、各コンタクト６のアーム６ｂと昇降部材４のアーム開閉部４Ｂの格子部４ｂとが離れるため、コンタクト６のアーム６ｂが矢印Ｐ方向に移動してアーム６ａ、６ｂ同士はその自身の弾性力によって閉じられ、図６（ｃ）に示すように、半田ボール５ｂを挟んでこれを加圧する。これにより、ＢＧＡパッケージ５の半田ボール５ｂとコンタクト６のアーム６ａ、６ｂとの良好な電気的な接続が行われる。」（段落【００５２】〜【００６０】）、
「図９は、本発明に係るソケットのさらに他の実施の形態を示すものであり、以下、上述の実施の形態と対応する部分について同一の符号を付して説明する。本実施の形態は、カバー３と昇降部材４とを一体化し、昇降部材４を移動させるための手段を省略するようにしたものである。・・・図９に示すように、本実施の形態においては、ベース２に対して上下動可能なカバー３の開口部３ａの側壁に、ＢＧＡパッケージ５を誘い込むための傾斜面３ｅと、ＢＧＡパッケージ５を位置決めするための位置決め面３ｆが形成されている。・・・一方、ベース２には、上記第１の実施の形態と同様のコンタクト６が配設される。そして、図示はしないが、昇降部材４がカバー３と一体的に形成され、この昇降部材４はベース２に昇降自在に嵌合されている。昇降部材４には格子部４ｂが設けられ、これにより形成される挿入孔４ａにコンタクト６が挿入される。また、昇降部材４にはＢＧＡパッケージ５を載置するための載置面４ｃが形成されている。そして、ベース２には図示しない装着面が形成されている。・・・本実施の形態においては、図９（ａ）に示すように、カバー３が上限に位置する場合に昇降部材４も上限に位置し、その格子部４ｂが各コンタクト６の一方のアーム６ａの折曲部分より上方にあるように構成される。この状態では、各コンタクト６のアーム６ａ、６ｂは閉じられている。・・・この状態でカバー３を下降させると、昇降部材４の格子部４ｂがコンタクト６の一方のアーム６ｂに当接し、アーム６ａ、６ｂが開く。そして、ＢＧＡパッケージ５をカバー３の開口部２ａを介して落とし込むと、ＢＧＡパッケージ５は、昇降部材４の載置面４ｃに載置され、所定の位置に位置決めされる。・・・さらに、カバー３を下降させると、これに伴って昇降部材４も下降するため、上記実施の形態と同様の動作により、ＢＧＡパッケージ５が昇降部材４の載置面４ｃからベース２の図示しない装着面に載置され、図９（ｂ）に示すように、ＢＧＡパッケージ５の各半田ボール５ｂが各アーム６ａ、６ｂの間に挿入される。・・・そして、図９（ｃ）に示すように、カバー３をベース２と当接するまで下降させると、昇降部材４の格子部４ｂとコンタクト６のアーム６ｂとの当接が外れ、アーム６ａ、６ｂが閉じられる。これによりＢＧＡパッケージ５の半田ボール５ｂがアーム６ａ、６ｂによって加圧挟持され、ＢＧＡパッケージ５の半田ボール５ｂとコンタクト６との接続が行われる。」（段落【００７４】〜【００８０】）、
「図１０は、本実施の形態におけるコンタクトの他の例を示すものである。図１０（ａ）〜（ｃ）に示すように、このコンタクト６０は、その中央部がくびれた一対のアーム６０ａ、６０ｂを有している。そして、これらのアーム６０ａ、６０ｂの間に昇降部材４の格子部４ｂを挿入し、これを上下動させ、この格子部４とアーム６０ａ、６０ｂのくびれた部分とを当接、解除させることにより、アーム６０ａ、６０ｂを開閉することができる。」（段落【００８２】）
　
イ．刊行物２（特開平８−１３８８１２号公報）には、以下の事項が図面とともに記載されている。
「本発明は、プリント配線板上に接続配置され、ＩＣパッケージを交換可能に装填し、該ＩＣパッケージをプリント配線板に電気的に接続するようにしたＩＣソケットに関するものであり、特にボール・グリッド・アレー型のＩＣパッケージ用として好適なＩＣソケットに関する。」（段落【０００１】）、
「本発明の第２実施例を、図８乃至図１４を用いて説明する。・・・図９において、可動板１５は、ケース本体１２との間に設けられた四つのバネ１１によって上方へ押されているが、二つの爪部１５ａがケース本体１２の爪部１２ａに係止され、図の位置を保持されている。ケース本体１２には複数のコンタクトピン１７が植設されているが、それらの大部分は省略され、その一部だけを明示してある。・・・コンタクトピン１７の上端部は、可動板１５に、接続端子１ｃとコンタクトピン１７の数だけ設けられている貫通孔１５ｅに夫々緩く嵌合している。この状態は、図１２及び図１３の拡大図に分かり易く示されている。コンタクトピン１７は、その上端部が二股状になっており、その間に、貫通孔１５ｅ間に設けられているリブ１５ｆが挿入される構成となっており、可動板１５がバネ１１に抗して下降したとき、二股部が開くようになされている。」（段落【００２２】〜【００２４】）、
「ＩＣパッケージ１をＩＣソケットに装着する操作は、上記の場合と同様にして、先ず押圧部材１８を上方からバネ１９に抗して押し下げる。この状態で、ＩＣパッケージ１を開口部１８ａから挿入し、傾斜面１２ｂ，１８ｃで画成された可動板１５の載置部に載置する。この状態においては、接続端子１ｃとコンタクトピン１７とは未だ接触していない。・・・次に、押圧部材１８への押圧を解除すると押圧部材１８がバネ１９によって上昇するが、その過程で先ず可動板１５がバネ１１によって追従し、上方へ移動する。そのため、リブ１５ｆが上方へ移動し、コンタクトピン１７は自己のバネ習性で復帰作動を行い、その先端部によって接続端子１ｃの両側面から挟持する。・・・その後、押圧部材８への押圧力を更に解除すると、今度はカム部１８ｄ，１８ｅによって、可動板１５は図１０及び図１３において左方向へ動かされる。そのため、コンタクトピン１７は可動板１５の貫通孔１５ｅに押され、自己のバネ習性に抗して同じく左方向へ押される。この時、コンタクトピン１７は接続端子１ｃの側面を擦るので、ワイピングが行われ、接続端子１ｃやコンタクトピン１７の表面に酸化皮膜や汚れがあったとしても、それらを綺麗に拭い去り、両者間において良好なる電気的接続を可能にする。」（段落【００２８】〜【００３０】）、
「本発明の第３実施例を図１５及び図１６を用いて説明する。・・・先ず、本実施例の構成を説明すると、ケース本体２２には、可動板２５が水平方向に移動できるように取り付けられている。この可動板２５は、図１５においてはバネ２１Ａによって左方向へ押されており、図１６においてはバネ２１Ｂによって左方向へ押されている。また、可動板２５には複数の貫通孔２５ｅが設けられており、ケース本体２２に植設された複数のコンタクトピン２７の各先端が緩く嵌合されている。」（段落【００３２】〜【００３３】）、
「押圧部材２８が、ケース本体２２に対して上下動可能に取り付けられている。・・・また、押圧部材２８には、二つの切欠部２８ｄが設けられており、ケース本体２２の軸２２ｄに枢着されている二つのレバー３０の先端に夫々当接するようになされている。このレバー３０には、二つのレバー間に軸３０ａが取り付けられており、この軸３０ａが可動板２５の端面に接触し、バネ２１Ａによって左方向へ押されて、図に示す位置が保たれている。」（段落【００３４】〜【００３５】）、
「次に、本実施例におけるＩＣパッケージ１の装着操作について説明する。押圧部材２８を上方からバネ２９に抗して押し下げると、先ず、・・・押圧部材２８を更に押し下げると、今度は図１５において、レバー３０はその先端が押圧部材２８に押され、軸２２ｄにおいて時計方向へ回転する。そのため、可動板２５は軸３０ａによってバネ２１Ａに抗して右方向へ移動する。そのため、コンタクトピン２７は自己のバネ習性によって同じく右方向へ追従する。その結果、可動板２５が移動し終わった位置では、コンタクトピン２７の先端は、上方からＩＣパッケージ１を挿入してもその接続端子１ｃに接触しない状態になっている。・・・この状態で、ＩＣパッケージ１を開口部２８ａから挿入し、可動板２５の載置部に載置する。」（段落【００３６】〜【００３８】）
　
ウ．刊行物３（特開平１１−２６１２６号公報）には、以下の事項が図面とともに記載されている。
「本発明は、多数のリード端子を有する電気部品を着脱自在に装着して各リードと外部装置とを電気的に接続するためのソケットに関し、特にＢＧＡ（ＢａｌｌＧｒｉｄＡｒｒａｙ）パッケージ用のソケットとして有用なソケットに関する。」（段落【０００１】）、
「本実施の形態のソケット１は、概略、ソケット本体としてのベース２と、カバー３と、ベース２上に設けたスライド部材としてのスライダ４と、スライダ４上に設けた位置決め部材としてのアダプタ５から構成され・・・を用いて成形される」（段落【００３２】）、
「図４（ａ）〜（ｃ）は、本実施の形態におけるアダプタ５の構成を示すもので、図４（ａ）は平面図、図４（ｂ）は正面図、図４（ｃ）は、図４（ａ）のＡ−Ａ線階段断面図である」（段落【００３６】）、
「図４（ａ）に示すように、本実施の形態のアダプタ５は、四角形状の枠部５ａと、この枠部５ａの四隅に一体的に形成される装着部５ｂとからなり、スライダ４に対して着脱自在となるように構成されている。ここで、図１（ａ）に示すように、アダプタ５の枠部５ａの外縁部は、カバー３の開口部３ａの径より若干小さい径を有し、装着部５ｂの内側には、ＢＧＡパッケージ９の装着位置を定めるための傾斜部５ｃが形成されている。・・・このような構成によれば、容易にアダプタ５を交換することができ、これにより大きさの異なる種々のＢＧＡパッケージ９を装着することができるようになる」（段落【００３７】〜【００３９】参照）
　
エ．刊行物４（特開平１０−３４０７７３号公報）には、以下の事項が図面とともに記載されている。
「一面にＩＣバンプの配列ピッチと同一ピッチで複数の接点電極が配列形成され・・・凹部にはめこまれてＩＣの位置決め枠をなすアダプタと・・・を特徴とするＩＣ用ソケット。」（特許請求の範囲の請求項２）、
「図６は請求項２の発明の実施例を示したものである。・・・この凹部２９にアダプタ４１がはめこまれ、このアダプタ４１によってＩＣが位置決めされる構造とされる。・・・各種ＩＣの外形の対応して、ＩＣ孔４３の異なるアダプタ４１を各種用意しておくことにより、アダプタ４１の交換のみで外形の異なる、つまりバンプ数の異なる各種ＩＣに対応することができる。」（段落【００１６】〜【００１８】）
　
オ．刊行物５（特開平９−２４５９２０号公報）には、以下の事項が図面とともに記載されている。
「【請求項１】・・・ＩＣソケットにおいて、上記ＩＣ本体の一端部上面と他端部上面とを下方に向け押圧する少なくとも一対の回動ラッチレバーを備えると共に、該各回動ラッチレバーを押圧方向に付勢するバネ手段を備え、該回動ラッチレバーをバネ手段に抗して押圧解除方向へ回動せしめる移動板の上位に上下動可に設けたアクチュエーターを備えることを特徴とするＩＣソケットにおけるＩＣ押え機構。」（特許請求の範囲の請求項１）、
「上記ソケットにＩＣ本体１の一端部上面と他端部上面とを下方へ向け押圧する少なくとも一対の回動レバーから成るラッチレバー１３を具備させる。・・・上記各回動ラッチレバー１３は図１又は図３等に示すように、移動板５の一端部と他端部に夫々軸１４により移動板５の上面に接近する方向（前方）と離間する方向（後方）とに回動できるように枢支する。一方の回動ラッチレバー１３は前方へ回動した時に移動板５上に搭載されたＩＣ本体１の上面一端を下方へ押圧し、他方の回動ラッチレバー１３は前方へ回動した時にＩＣ本体１の上面他端を下方へ押圧する。」（段落【００２６】〜【００２７】）、
「図３乃至図６はアクチュエーター８を下降操作した時の回動ラッチレバー１３と移動板５の動作状態を示している。図示のように、アクチュエーター８を下降すると、加圧部２３が回動ラッチレバー１３の後端の受圧部２４を押圧し、回動ラッチレバー１３をバネ手段１５に抗し後方へ回動しＩＣの押圧解除状態を形成する。」（段落【００３４】）、
「図６乃至図９に示すように、上記ＩＣ搭載状態においてアクチュエーター８への押下力を解除すると、・・・アクチュエーターを上方へ復帰せしめる。・・・又アクチュエーター８の上昇によって、図８，図９に示すように回動ラッチレバー１３はバネ手段１５の弾力に従い前方へ回動しＩＣ本体１の上面一端と他端を下方向へ押圧する。この押圧によってＩＣの浮上りを阻止し、ＩＣ端子２とコンタクト４との接触状態を確保する。」（段落【００３７】〜【００３８】）
　
カ．刊行物６（特開平８−６４３２０号公報）には、以下の事項が図面とともに記載されている。
「【請求項４】・・・前記ソケット本体上の前記部品本体に係止して前記電気部品を前記接触子側に押圧する第１の位置と前記ソケット本体上の前記電気部品から退避する第２の位置との間で移動可能なラッチ部材と、前記カバー体の一方向の移動に連動して前記ラッチ部材を前記第１の位置へ移動させ、前記カバー体の他方向の移動に連動して前記ラッチ部材を第２の位置へ移動させるラッチ操作手段とを具備したことを特徴とするソケット。」（特許請求の範囲の請求項４）、
「再び図１〜図３、図１４および図１８において、本ソケットのＸ方向における中心部でＹ方向ではスライダ板４０の両側面に近接した位置にてベース１０に一対の板バネ形のラッチ７０が立設されている。各ラッチ７０の下端部はベース１０に固定され、中間部ないし上端部がその板面と垂直な面内で弾性変位できるようになっており、上端部にはＶ字形に内側に突出したパッケージ押さえ部７０ａが形成され、中間部にはＬ字形に外側に突出した下側案内部７０ｂが形成されている。・・・図１８に示すように、ラッチ７０の上端（上側案内部）がラッチ案内部７２の垂直案内面７２ａに接している状態では、ラッチ７０が前方（ソケット中心側）へお辞儀するように弾性変位し、パッケージ押さえ部７０ａがスライダ板４０の外周縁部の頭上に覆い被さる。カバー１４が押し下げられると、ラッチ７０の下側案内部７０ｂがラッチ案内部７２の傾斜案内面７２ｂに案内されるようになり、ラッチ７０はその弾性復元力で本来の姿勢に戻り、パッケージ押さえ部７０ａはスライダ板４０の外周縁部の頭上から退避するようになっている。」（段落【００６７】〜【００６８】）
　
キ．刊行物７（特開平８−２７３７７８号公報）には、以下の事項が図面とともに記載されている。
「カバー７は上方への作動習性が付与され、コンタクトピンを動かすスライドプレート３は下方への作動習性が付与されている。２本のスライドバー９は、その一端がカバー７にピン１０によって回転可能に取り付けられ、他端には押動部９ａが形成され且つシャフト１１が取り付けられている。押動部９ａはスライドプレート３の軸部３ｃに係接し、シャフト１１はガイド１２の凹部１２ａに摺接している。カバー７が押し下げられたときシャフト１１は左右に開き、押動部９ａはスライドプレート３を押し上げる。シャフト１１が軸部３ｃの下方位置に近づくのでカバー７に対する反作用が軽減される。」（【要約】参照）、
「先ず、図１８の状態から・・・カバー７を押し下げていく。それによってＸ形に配置された２本のスライドバー９は、シャフト１１をスライドサポート１２の凹部１２ｂ内で移動させ、左右に開いていく。・・・このシャフト１１の移動により押動部９ａが軸部３ｃを押し、コイルバネ６（図４）の力に抗してスライドプレート３を上方へ押し上げていく。」（段落【００３１】〜【００３２】）
　
（２−３）対比・判断
ア．訂正発明１について
　訂正発明１と刊行物１ないし７に記載された発明を対比すると、刊行物１ないし７には、訂正発明１の「各アーム状接点部の先端近傍の部位を互いに近づける方向に「く」の字状に折り曲げることによりくびれた形状の係合突部が設けられている複数の接触子」及び「上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されている」点の構成（以下、「構成Ａ」という）が記載も示唆もされておらず、この点が容易になし得たものであるということはできない。
　すなわち、刊行物１の第１０図に関する例として記載されたコンタクト６０（「接触子」に相当する）は、一対のアーム６０ａ、６０ｂ（「一対のアーム状接点部」に相当する）に互いに近づける方向に「く」の字状のくびれた部分（「係合突部」に相当する）を有しており、このくびれた部分と格子部４ｂ（「係合部」に相当する）との当接解除によりアーム６０ａ、６０ｂを開閉するものである。しかしながら、前記くびれた部分はアームの中央部分に設けられており、しかも格子部４ｂはカバー３（「カバー部材」に相当する）と一体的に上下するものであるから、カバー３が上方の位置にあるとき、格子部４ｂはくびれた部分に対して上方で離間した位置にあって、アーム６０ａ、６０ｂは閉状態であり、カバー３が中央の位置にあるとき、格子部４ｂはくびれた部分と当接する位置にあって、アーム６０ａ、６０ｂは開状態であり、カバー３をさらに下方へ押し下げるとき、格子部４ｂはくびれた部分に対して下方で離間した位置となり、アーム６０ａ、６０ｂの弾性力によりＢＧＡパッケージ５（「電子部品」に相当する）の半田ボール５ｂ（「接続端子」に相当する）を双方向から挟んで加圧接触する３つの位置をとる形式のものであるから、訂正発明１の、アーム状接点部の先端近傍に係合突部を有し、カバー部材が上方と下方（このとき係合部は係合突部に対して下方で離間した第１の位置と当接する第２の位置をとる）の２つの位置をとる形式のものとは基本的構成が異なる。したがって、２つの位置をとる形式における具体的配置係合関係を限定した、訂正発明１の上記構成Ａは、刊行物１の第１０図に関する例として記載されたコンタクト６０に、刊行物１に記載された他の実施例及び刊行物２ないし７に記載された発明を組み合わせたとしても、当業者が容易になし得たものであるとすることはできない。
　そして、訂正発明１は、訂正明細書記載の顕著な作用効果を奏するものである。
　したがって、訂正発明１は、刊行物１ないし７に記載された発明に基づいて当業者が容易に発明をすることができたものであるとすることはできない。
　
イ．訂正発明２について
　訂正発明２は独立形式で表現されているが、訂正発明１の構成に加えて「上記一対のアーム状接点部は、上記接触子の長手方向に対してほぼ線対称な形状に形成され」る点の構成を備えたものに他ならないから、訂正発明２は、上記「ア．訂正発明１について」で述べたのと同じ理由により、刊行物１ないし７に記載された発明に基づいて当業者が容易に発明をすることができたものであるとすることはできない。
　
ウ．訂正発明３ないし５について
　訂正発明３ないし５は、訂正発明１又は２を、もしくは訂正発明１又は２を引用した他の訂正発明を、引用してさらに限定したものであるから、上記「ア．訂正発明１について」又は「イ．訂正発明２について」で述べたのと同じ理由により、刊行物１ないし７に記載された発明に基づいて当業者が容易に発明をすることができたものであるとすることはできない。
　
エ．訂正発明６について
　訂正発明６と刊行物１ないし７に記載された発明を対比すると、刊行物１ないし７には、訂正発明６の「各アーム状接点部の先端近傍の部位を互いに近づける方向に「く」の字状に折り曲げることによりくびれた形状の係合突部が設けられている複数の接触子」及び「上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されている」点の構成が、記載も示唆もされておらず、この点が容易になし得たものであるということはできない。
　そして、訂正発明６は、訂正明細書記載の顕著な作用効果を奏するものである。
　したがって、訂正発明６は、刊行物１ないし７に記載された発明に基づいて当業者が容易に発明をすることができたものであるとすることはできない。
　
オ．訂正発明７及び８について
　訂正発明７及び８は、訂正発明６、又は訂正発明６を引用した訂正発明７、を引用してさらに限定したものであるから、上記「エ．訂正発明６について」で述べたのと同じ理由により、刊行物１ないし７に記載された発明に基づいて当業者が容易に発明をすることができたものであるとすることはできない。
　
カ．訂正発明９について
　訂正発明９と刊行物１ないし７に記載された発明を対比すると、刊行物１ないし７には、訂正発明９の「各アーム状接点部の先端近傍の部位を互いに近づける方向に「く」の字状に折り曲げることによりくびれた形状の係合突部が設けられている複数の接触子」及び「上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されている」点の構成が、記載も示唆もされておらず、この点が容易になし得たものであるということはできない。
　そして、訂正発明９は、訂正明細書記載の顕著な作用効果を奏するものである。
　したがって、訂正発明９は、刊行物１ないし７に記載された発明に基づいて当業者が容易に発明をすることができたものであるとすることはできない。
　
キ．訂正発明１０について
　訂正発明１０は、訂正発明９を引用してさらに限定したものであるから、上記「カ．訂正発明９について」で述べたのと同じ理由により、刊行物１ないし７に記載された発明に基づいて当業者が容易に発明をすることができたものであるとすることはできない。
　
（２−４）まとめ
　また、他に、訂正発明１ないし１０が、特許出願の際独立して特許を受けることができるものでないとすべき理由も発見しない。
　したがって、訂正発明１ないし１０は、特許出願の際独立して特許を受けることができる発明である。
　よって、本件訂正は特許法第１２６条第５項の要件も満たすものである。
　
４．むすび
　以上のとおりであるから、本件訂正審判の請求は、特許法第１２６条第１項ただし書き、第３項ないし第５項の規定に適合するので訂正を認める。
　よって、結論のとおり審決する。